(57)【特許請求の範囲】
【請求項１】
両端にそれぞれフランジ部が形成された電線巻回部とこの電線巻回部の中心に嵌合孔を有するコイルボビンを一対設け、
これらコイルボビンの電線巻回部に電線を巻回して１次コイルと２次コイルをそれぞれ形成し、これら１次コイルおよび２次コイルの対向するフランジ部間に前記嵌合孔に嵌入された中央脚鉄心を挟んで両側にパスコアを対向させてそれぞれ配置するとともに前記中央脚鉄心と連続して閉磁気回路を構成する側脚鉄心を有する漏洩変圧器であって、
前記１次コイルおよび２次コイルの対向するフランジ部のいずれか一方のフランジ部に突出片を対向してそれぞれ立設し、
これら突出片と対向するパスコアの長手方向両端にそれぞれ嵌合凸部または嵌合凹部を設けるとともに、
前記突出片には前記パスコアの嵌合凸部または嵌合凹部と嵌合する嵌合凹部または嵌合凸部をそれぞれ設け前記パスコアを前記突出片間にそれぞれ保持させた電磁機器において、
前記対向する突出片にこれら突出片間の距離を狭める傾斜面を前記中央脚鉄心の嵌入方向に沿って形成した押し拡げ部をそれぞれ設けたことを特徴とする電磁機器。
【発明の詳細な説明】
【０００１】
【発明の属する技術分野】
本発明は、漏洩変圧器などの電磁機器に関する。
【０００２】
【従来の技術】
従来技術に係る漏洩変圧器である電磁機器の構成部品を図６を参照して説明する。
【０００３】
５はけい素鋼板などからなるＥ形をした鋼板５ａを積層したＥ形鉄心で、中央部に中央脚鉄心６が形成されている。１０はけい素鋼板などからなるＩ形をした鋼板１０ａを積層したＩ形鉄心である。１５はけい素鋼板などからなる略Ｉ形をした鋼板１５ａを積層したパスコアで、長手方向両端には略半円形をした嵌合凹部１６，１６がそれぞれ形成されている。
【０００４】
２０は絶縁材料である例えばエポキシ材からなる第１のコイルボビンで、両端に外郭が略矩形型をしたフランジ部２１，２１がそれぞれ形成された断面略コ字状をした電線巻回部２２と、この電線巻回部２２と直交する中心軸に形成された矩形型をした嵌合孔２３と、この嵌合孔２３を挟んで前記Ｅ形鉄心５の積層面７，７と対向して一方側のフランジ部２１ａの表面に対向してそれぞれ立設された突出片２４，２４とからなる。
【０００５】
さらに、これら突出片２４，２４の裏面には、対向してそれぞれ前記パスコア１５に形成された嵌合凹部１６，１６と嵌合する略半円形をした嵌合凸部２５，２５がそれぞれ突出形成されている。
【０００６】
３０は絶縁材料である例えばエポキシ材からなる第２のコイルボビンで、両端に外郭が略矩形型をしたフランジ部３１，３１がそれぞれ形成された断面略コ字状をした電線巻回部３２と、この電線巻回部３２と直交する中心軸に形成された矩形型をした嵌合孔２３とから形成されている。
【０００７】
前記第１のコイルボビン２０および第２のコイルボビン３０の電線巻回部２２および電線巻回部３２にそれぞれ電線１２を巻回した１次コイル４５および２次コイル５０にＥ形鉄心５とＩ形鉄心１０およびパスコア１５，１５を組合わせて形成されている。
【０００８】
つぎに、漏洩変圧器などの電磁機器の組立て方法を説明する。
【０００９】
最初に、１次コイル４５の突出片２４，２４にそれぞれ形成された嵌合凸部２５，２５，２５，２５に一対のパスコア１５の嵌合凹部１６，１６をそれぞれ嵌入して、１次コイル４５の嵌合孔２３を挟んだ両側のフランジ部２１ａ，２１ａに対向して一対のパスコア１５，１５をそれぞれ保持させる。
【００１０】
１次コイル４５のパスコア１５が保持されたフランジ部２１ａと対向させて２次コイル５０のフランジ部３１を配置し、１次コイル４５の嵌合孔２３と２次コイル５０の嵌合孔２３にＥ形鉄心５の中央脚鉄心６をそれぞれ嵌入するとともに、このＥ形鉄心５の先端面５ｂにＩ形鉄心１０を突合せて位置合わせをする。最後に、Ｅ形鉄心５とＩ形鉄心１０との接合縁を電気溶接で接合（図示せず）し、漏洩変圧器などの電磁機器の組立てる。
【００１１】
【発明が解決しようとする課題】
上記のように従来の電磁機器である第１のコイルボビン２０の電線巻回部２２に電線１２を巻線機などで巻回する際、この電線１２に張力を加えて電線巻回部２２に電線１２を巻回するため、電線巻回部２２の両端に形成されているフランジ部２１，２１が、図７に示すように、外側に拡開してそれぞれ拡がることがある。フランジ部２１，２１が外側に拡開してそれぞれ拡がると、フランジ部２１ａに対向してそれぞれ立設されている突出片２４，２４が、突出片２４，２４間の距離を狭める方向に変形する。そのため、突出片２４，２４にそれぞれ突出形成されている嵌合凸部２５，２５間の距離Ｌ２は、パスコア１５の長手方向両端にそれぞれ形成されている嵌合凹部１６，１６の底部間の距離Ｌ１より狭くなる。このような場合には、パスコアが突出片間に嵌入されないという問題があった。
【００１２】
この問題を解決する第１の手段として、パスコア１５の長手方向の寸法を短くする方法が考えられるが、図８に示すように、突出片２４の根元部２４ａは殆ど変形せず、突出片２４，２４間の距離が、突出片２４の先端側に行く程狭まくなるように変形する。そのため、パスコア１５の嵌合凹部１６，１６を突出片２４，２４の嵌合凸部２５，２５に嵌入させて、パスコア１５を突出片２４，２４間に組立てると、突出片２４の嵌合凸部２５の根元側に行くほど、パスコアの嵌合凹部と突出片の嵌合凸部との間のギャツプが大きくなる。
【００１３】
この場合には、パスコアの嵌合凹部と突出片の嵌合凸部との嵌合は、突出片の根元側ではガタが生じ、エアギャップが変化して特性が悪化する恐れがあるという問題があった。
【００１４】
また、第２の手段として、治具を使用して突出片の嵌合凸部間の間隔を拡げたのちに、パスコアを突出片間に嵌入することも考えられる。
【００１５】
この場合には、治具を使用するため、作業性が悪くなるという問題があった。
【００１６】
本発明は上記の点に鑑みてなされたもので、治具を使用しないで、簡単に組立てが出来るとともに、特性が変化しない電磁機器を提供することを課題とする。
【００１７】
【課題を解決するための手段】
前記課題を達成するために、本発明の電磁機器は、両端にそれぞれフランジ部が形成された電線巻回部とこの電線巻回部の中心に嵌合孔を有するコイルボビンを一対設け、これらコイルボビンの電線巻回部に電線を巻回して１次コイルと２次コイルをそれぞれ形成し、これら１次コイルおよび２次コイルの対向するフランジ部間に前記嵌合孔に嵌入された中央脚鉄心を挟んで両側にパスコアを対向させてそれぞれ配置するとともに前記中央脚鉄心と連続して閉磁気回路を構成する側脚鉄心を有する漏洩変圧器であって、前記１次コイルおよび２次コイルの対向するフランジ部のいずれか一方のフランジ部に突出片を対向してそれぞれ立設し、これら突出片と対向するパスコアの長手方向両端にそれぞれ嵌合凸部または嵌合凹部を設けるとともに、前記突出片には前記パスコアの嵌合凸部または嵌合凹部と嵌合する嵌合凹部または嵌合凸部をそれぞれ設け前記パスコアを前記突出片間にそれぞれ保持させた電磁機器において、前記対向する突出片にこれら突出片間の距離を狭める傾斜面を前記中央脚鉄心の嵌入方向に沿って形成した押し拡げ部をそれぞれ設けたことを特徴とするものである。
【００１８】
上記の構成において、１次コイルに形成された一対の突出片に突設形成された三角形状の押し拡げ部を設けたことにより、１次コイルの嵌合孔にＥ形鉄心の中央脚鉄心を嵌入する際、Ｅ形鉄心の中央脚鉄心で突出片の押し拡げ部を外方にそれぞれ押し拡げ、パスコアを突出片の嵌合凸部に治具を使用することなく簡単に嵌入することができる。
【００１９】
【発明の実施の形態】
以下、図１ないし図５を参照して本発明の実施の形態を説明する。
【００２０】
図１はＥ形鉄心とＩ形鉄心を使用した本発明の一実施の形態に係る電磁機器の構成を示す分解斜視図である。なお、従来技術と同一の構成部品は同一の番号を付して説明する。
【００２１】
第１のコイルボビン２０には、第１のコイルボビン２０の嵌合孔２３を挟んで、突出片２４，２４間の距離を狭める方向に傾斜面６１を有する三角形をした押し拡げ部６０を対向して突出片２４，２４に対向してそれぞれ形成されている。この押し拡げ部６０の稜線部６２は、図３に示すように、前記嵌合孔２３を延長した面と略同一の位置して形成されている。
【００２２】
つぎに、電磁機器の組立て方法を説明する。
【００２３】
最初に、第１のコイルボビン２０および第２のコイルボビン３０の電線巻回部２２および電線巻回部３２に電線１２をそれぞれ巻回し、１次コイル４５および２次コイル５０を形成する。
【００２４】
Ｅ形鉄心５の中央脚鉄心６を１次コイル４５の突出片２４が形成されていない側から、嵌合孔２３に嵌入させるとともに、一対のパスコア１５，１５の嵌合凹部１６，１６を突出片２４，２４の嵌合凸部２５，２５にそれぞれ嵌入させて、Ｅ形鉄心５の中央脚鉄心６の両側に一対のパスコア１５，１５を配置する。
【００２５】
つぎに、２次コイル５０の嵌合孔２３をＥ形鉄心５の中央脚鉄心６に嵌入するとともに、このＥ形鉄心５の先端面５ｂにＩ形鉄心１０を当接させて位置合わせをする。最後に、Ｅ形鉄心５とＩ形鉄心１０との接合縁を電気溶接で接合し、漏洩変圧器などの電磁機器を組立てる。上記のように、１次コイル４５および２次コイル５０の嵌合孔２３に中央脚鉄心６が配置されるとともに、この中央脚鉄心６と連続して閉磁気回路を構成する側脚鉄心が１次コイル４５および２次コイル５０の周囲に配置されている。
【００２６】
また、前記Ｅ形鉄心５およびＩ形鉄心１０に代えて、図２に示すように、けい素鋼板などからなるＴ形をした鋼板を積層したＴ形鉄心５２およびけい素鋼板などからなるＬ形をした鋼板を積層した一対のＬ形鉄心５３，５３を使用しても同一の作用効果を奏する。
【００２７】
次に上記実施の形態の作用を説明する。
【００２８】
第１のコイルボビン２０の電線巻回部２２に電線１２を巻線機などで巻回する際、この電線１２に張力を加えて電線巻回部２２に電線１２が巻回されるため、電線巻回部２２の両端に形成されているフランジ部２１，２１が、図４に示すように、外側に拡開して拡がることがある。フランジ部２１，２１が外側に拡開して拡がると、フランジ部２１，２１に対向してそれぞれ立設されている突出片２４，２４が、突出片２４，２４間の距離を狭める方向に変形し、突出片２４，２４に突出形成されている嵌合凸部２５，２５間の距離が狭まる方向に変形するとともに、第１のコイルボビン２０の嵌合孔２３を挟んで突出片２４，２４間の距離を狭める方向に傾斜面６１，６１を有して形成されている三角形をした押し拡げ部６０，６０の稜線部６２，６２が、前記嵌合孔２３を延長した面より内方側の位置までそれぞれ変形する。
【００２９】
つぎに、図５に示すように、第１のコイルボビン２０の突出片２４が形成されていない側から、中央脚鉄心６を第１のコイルボビン２０の嵌合孔２３に嵌入させていくと、中央脚鉄心６の先端が、第１のコイルボビン２０の嵌合孔２３を挟んで突出片２４，２４間の距離を狭める方向に変形している押し拡げ部６０，６０の傾斜面６１，６１に突当る。さらに、中央脚鉄心６を押し込んでいくと、中央脚鉄心６が押し拡げ部６０，６０の傾斜面６１，６１を押圧しながら、突出片２４，２４の根元部２４ａ，２４ａを支点として外側方向に突出片２４，２４をそれぞれ押し拡げていく。さらに、中央脚鉄心６を押し込んでいくと、中央脚鉄心６の積層方向の積層面７，７にそれぞれ押し拡げ部６０，６０の稜線部６２，６２が当接し、突出片２４，２４をそれぞれ元の位置に復くする。
【００３０】
そのため、突出片２４，２４に形成されている嵌合凸部２５，２５も元の位置に復するので、パスコア１５の長手方向両端にそれぞれ形成された嵌合凹部１６，１６を突出片２４の嵌合凸部２５，２５に嵌入でき、パスコア１５を第１のコイルボビン２０の突出片２４，２４間に、容易に嵌入・保持することができる。
【００３１】
このため、中央脚鉄心６を第１のコイルボビン２０の嵌合孔２３に嵌入させるだけで、内方側にそれぞれ変形している突出片２４，２４を元の位置に復することができ、治具を使用しないで、簡単に、パスコアをコイルボビンの突出片間に組立てることができる。
【００３２】
さらに、パスコアの嵌合凹部と突出片の嵌合凸部とは、ガタなく組立てられるので、中央脚鉄心とパスコア、およびパスコアと側脚鉄心との間のギャップは変化しないので、特性も変化しない。
【００３３】
【発明の効果】
以上詳記したように本発明によれば、突出片間の距離を狭める方向に傾斜面を先端に向けて形成した押し拡げ部を突出片に設けたので、コイルボビンの電線巻回部に電線を巻回する際、コイルボビンの両側にそれぞれ設けられたフランジ部が外側に拡開して変形しても、中央脚鉄心をコイルボビンの嵌合孔に嵌入させる際、この中央脚鉄心が突出片に設けた押し拡げ部により、突出片を略元の位置に復元させるので、パスコアの嵌合凹部と突出片の嵌合凸部とは、ガタなく組立てできるので、治具を使用しないで、簡単に、パスコアをコイルボビンの突出片間に組立て出来る。
【００３４】
さらに、中央脚鉄心とパスコア、およびパスコアと側脚鉄心との間のギャップが変化しないので、特性も変化しない。
【００３５】
なお、パスコアと突出片間との嵌合は、パスコアの長手方向両端にそれぞれ嵌合凸部を設け、このパスコアの嵌合凸部に対向する突出片にそれぞれ嵌合凹部を形成したものでも上記実施の形態と同一の作用・効果を奏する。
【図面の簡単な説明】
【図１】Ｅ形鉄心とＩ形鉄心を使用した本発明の一実施の形態に係る電磁機器の構成を示す分解斜視図。
【図２】略Ｔ字形鉄心と略Ｌ字形鉄心を使用した本発明の一実施の形態に係る電磁機器の構成を示す分解斜視図。
【図３】同実施の形態における第１のコイルボビンを示す断面図。
【図４】同実施の形態における１次コイルにＥ形鉄心およびパスコアを嵌入前の状態を示す正面図。
【図５】同実施の形態における１次コイルにＥ形鉄心を嵌入し、パスコアを１次コイルに嵌入させる前の状態を示す正面図。
【図６】従来技術に係る電磁機器の構成を示す分解斜視図。
【図７】同上従来技術に係る１次コイルにパスコアを嵌入させる前の状態を示す正面図。
【図８】同上従来技術に係る１次コイルにパスコアを嵌入させた状態を示す断面図。
【符号の説明】
６…中央脚鉄心，
１２…電線，
１５…パスコア，
１６…嵌合凹部，
２１…フランジ部，
２３…嵌合孔，
２４…突出片，
２５…嵌合凸部，
３１…フランジ部，
４５…１次コイル，
５０…２次コイル，
６０…押し拡げ部，
６１…傾斜面。
【図１】
0003644114.tif 000002
【図２】
0003644114.tif 000003
【図３】
0003644114.tif 000004
【図４】
0003644114.tif 000005
【図５】
0003644114.tif 000006
【図６】
0003644114.tif 000007
【図７】
0003644114.tif 000008
【図８】
0003644114.tif 000009